(57)【要約】      （修正有）【課題】メガネの性能を低下させることなく、曇りを防止することに加え、使用場所にかかわらず十分な電力を供給することができるメガネを提供する。【解決手段】メガネ１００は、左右のメガネレンズ１，１、メガネレンズ１，１を保持するフレーム２、フレーム２の左右に接続されたテンプル３，３を備える。左右のメガネレンズ１，１のそれぞれの主面に直接密着された透明導電膜４，４、透明導電膜４，４に接続された配線部、配線部を介して透明導電膜４，４に電力を供給する２次電池６と、２次電池６から透明導電膜４への通電をオン・オフさせる通電スイッチ８を備える。【選択図】図１
2017068253.tif 000002
【特許請求の範囲】
【請求項１】
メガネレンズ（１）の主面に直接密着された透明導電膜（４）と、
透明導電膜（４）に接続された配線部（５）と、
配線部（５）を介して透明導電膜（４）に電力を供給する２次電池（６）と、
２次電池（６）から透明導電膜（４）への通電をオン・オフさせる通電スイッチ（８）と、を備えることを特徴とするメガネ。
【請求項２】
メガネ本体（１０１）のメガネレンズ（１）の主面上に着脱自在に構成され、透明導電膜（４）を保持する保持フレーム（１１）と、
透明導電膜（４）に接続された配線部（５）と、
メガネ本体（１０１）に設けられ、配線部（５）を介して透明導電膜（４）に電力を供給する２次電池（６）と、
２次電池（６）から透明導電膜（４）への通電をオン・オフさせる通電スイッチ（８）と、を備えることを特徴とするメガネ。
【請求項３】
前記通電スイッチ（８）を一定時間経過後にオフするタイマーが設けられていることを特徴とする請求項１または２に記載のメガネ。
【請求項４】
光を反射または透過する曇り検出体（１４）と、
曇り検出体（１４）に光を照射する発光素子（１５）と、
曇り検出体（１４）からの反射光または透過光を検出する光センサー素子（１６）と、
光センサー素子（１６）の光検出信号に応じて前記通電スイッチ（８）のオン・オフを制御する制御手段（１７）と、を備えることを特徴とする請求項１乃至３のいずれかに記載のメガネ。
【請求項５】
透明導電膜（４）に接続された温度検出抵抗素子（１８）と、
透明導電膜（４）から温度検出抵抗素子（１８）に流れる電流により透明導電膜（４）と温度検出抵抗素子（１８）との接続点に生じる電圧に応じて、前記通電スイッチ（８）のオン・オフを制御する制御手段（２０）と、を備えることを特徴とする請求項１乃至４のいずれかに記載のメガネ。
【請求項６】
前記２次電池（６）を充電するための充電手段を備えることを特徴とする請求項１乃至５のいずれかに記載のメガネ。
【発明の詳細な説明】
【技術分野】
【０００１】
本発明は、メガネに関し、特にメガネレンズの曇りを防止したメガネ関する。
【背景技術】
【０００２】
特許文献１には、メガネレンズにニクロム線などの発熱線材を埋め込み、中間バー部に設けたソーラ板をつなぐことによって、線材を発熱させて曇りを防止したメガネが記載されている。
【先行技術文献】
【特許文献】
【０００３】
【特許文献１】特開２００１−３５０１２５号公報
【発明の概要】
【発明が解決しようとする課題】
【０００４】
メガネレンズに発熱線材を埋め込んだ場合、光の乱反射で視界が乱され、メガネの性能を低下させる。また、発熱線材の電力源としてソーラ電池では電力が不足しており、また暗い場所での使用が制限されるという課題がある。また、電力の節約を図るという課題もある。
【課題を解決するための手段】
【０００５】
上記課題を解決するために、請求項１に係るメガネは、メガネレンズ（１）の主面に直接密着された透明導電膜（４）と、透明導電膜（４）に接続された配線部（５）と、配線部（５）を介して透明導電膜（４）に電力を供給する２次電池（６）と、２次電池（６）から透明導電膜（４）への通電をオン・オフさせる通電スイッチ（８）と、を備えることを特徴とする。
【０００６】
請求項１に係るメガネによれば、メガネレンズ（１）の曇りを除去する発熱体として、透明導電膜（４）を採用したので、メガネの性能を低下させることなく、曇りの発生を防止することができる。また、透明導電膜（４）の電力源として２次電池（６）を採用したので、使用場所にかかわらず十分な電力を供給することができる。また、通電スイッチ（８）を設けたので、２次電池（６）の電力を節約することができる。
【０００７】
請求項２に係るメガネは、メガネ本体（１０１）のメガネレンズ（１）の主面上に着脱自在に構成され、透明導電膜（４）を保持する保持フレーム（１１）と、透明導電膜（４）に接続された配線部（５）と、メガネ本体（１０１）に設けられ、配線部（５）を介して透明導電膜（４）に電力を供給する２次電池（６）と、２次電池（６）から透明導電膜（４）への通電をオン・オフさせる通電スイッチ（８）と、を備えることを特徴とする。
【０００８】
請求項２に係るメガネによれば、請求項１に係るメガネの有する作用効果に加え、透明導電膜（４）をメガネ本体（１０１）に着脱自在にしたので、メガネレンズ（１）を交換した場合や、別個のメガネ本体にも、透明導電膜（４）の使い回しが可能になる。  
【発明の効果】
【０００９】
本発明のメガネによれば、メガネの性能を低下させることなく、メガネレンズの曇りの発生を防止することができる。また、発熱体である透明導電膜に使用場所にかかわらず十分な電力を供給することができる。さらに、透明導電膜への通電のオン・オフにより、メガネレンズに曇りが無い場合の電力を節約することができる。
【図面の簡単な説明】
【００１０】
【図１】本発明の第１の実施形態におけるメガネの斜視図である。
【図２】本発明の第１の実施形態におけるメガネの等価回路図である。
【図３】本発明の第１の実施形態におけるメガネ（曇り検出方式を採用したメガネ）の等価回路図である。
【図４】メガネレンズの曇り検出を説明する図である。
【図５】本発明の第１の実施形態におけるメガネ（温度検出方式を採用したメガネ）の等価回路図である。
【図６】本発明の第２の実施形態におけるメガネの斜視図である。
【図７】本発明の第２の実施形態におけるメガネの等価回路図である。
【発明を実施するための形態】
【００１１】
本発明の第１の実施形態におけるメガネ１００を図面に基づいて説明する。図１は、メガネ１００の斜視図、図２はその等価回路図である。メガネ１００は、左右のメガネレンズ１，１、メガネレンズ１，１を保持するフレーム２、フレーム２の左右に接続されたテンプル（つる部）３，３を備え、これに加え、左右のメガネレンズ１，１のそれぞれの主面に直接密着された透明導電膜４，４、透明導電膜４，４に接続された配線部５、配線部５を介して透明導電膜４，４に電力を供給する２次電池６を備える。
【００１２】
そして、このメガネ１００によれば、発熱体として透明導電膜４，４を採用したので、メガネ１００の性能を低下させることがなく、曇りの原因である水滴等を蒸発させることで曇りの発生を防止し、曇りが発生している場合にもその除去をすることができる。また、透明導電膜４，４の電力源として２次電池６を採用したので、使用場所にかかわらず十分な電力を供給することができる。
【００１３】
透明導電膜４，４としては、例えばＩＴＯ薄膜が適しており、これはメガネレンズ１，１の表面又は裏面に、ＩＴＯを蒸着またはスパッタすることにより形成することができる。ＩＴＯは、Ｉｎｄｉｕｍ  Ｔｉｎ  Ｏｘｉｄｅの略である。透明導電膜４，４はメガネレンズ１，１の形状に合わせて形成される。
【００１４】
配線部５は、第１の配線５ａ及び第２の配線５ｂを有している。第１の配線５ａは左右の透明導電膜４，４の一端と、２次電池６の正電極（＋）の間に接続され、第２の配線５ｂは左右の透明導電膜４，４の他端と、２次電池６の負電極（−）の間に接続される。
この場合、透明導電膜４，４に均一に電流を流し、発熱を均一にするために、透明導電膜４，４の一端に沿って、透明導電膜４，４より比抵抗が低い導電性接着剤、導電性樹脂、導電性ゴムやメッキ・蒸着等かなる第１の金属薄膜４ａ，４ａを形成し、透明導電膜４，４の他端に沿って、同じく透明導電膜４，４より比抵抗が低い導電性接着剤、導電性樹脂、導電性ゴムやメッキ・蒸着等かなる第２の金属薄膜４ｂ，４ｂを形成しても良い。
【００１５】
２次電池６はテンプル３に取り付けられ、配線部５はフレーム２からテンプル３に延びている。配線部５はフレーム２及びテンプル３の中に埋め込んでも良い。また、２次電池６の出力電圧を昇圧する昇圧回路７をテンプル３に取り付けても良い。これにより、２次電池６、昇圧回路７がメガネレンズ１の視界を遮ることがない。
【００１６】
また、２次電池６から透明導電膜４，４への通電をオン・オフさせる通電スイッチ８を設けることで、必要に応じて適宜通電を行い、メガネレンズ１に曇りがない場合等の電力を節約することができる。この例では、通電スイッチ８は、配線部５の途中に設けられているが、２次電池６の電源供給路であれば他の箇所、例えば、昇圧回路７の中に設けられていても良い。
【００１７】
通電スイッチ８のオン・オフ制御は手動で行うこともできるが、（１）タイマーによる制御方式、（２）メガネレンズ１の曇り検出による制御方式、（３）透明導電膜４の温度検出による制御方式、を個別にまたはそれらを組み合わせて採用すれば当該制御を自動的に行うことができる。以下、それぞれの制御方式の構成を説明する。
【００１８】
（１）タイマーによる制御方式
この方式は、通電スイッチ８を一定時間経過後に自動的にオフする不図示のタイマーを設けることで、通電スイッチ８にタイマー機能を持たせたものである。これにより、タイマーの時間設定により２次電池６の電力を節約することができる。通電スイッチ８は、操作性や、メガネレンズ１の視界を考慮して、２次電池６、昇圧回路７が取り付けられたテンプル３の反対側のテンプル３に取り付けることが好ましい。
【００１９】
（２）メガネレンズ１の曇り検出による制御方式
この方式は、図３、図４に示すように、図１、図２のメガネ１００に、曇り検出制御部を設けたものである。曇り検出制御部は、光を反射または透過する曇り検出体１４と、曇り検出体１４に光を照射する発光素子１５、曇り検出体１４からの反射光または透過光を検出する光センサー素子１６、光センサー素子１６の検出信号に応じて通電スイッチ８のオン・オフを制御する制御手段１７とを備える。  
【００２０】
図４（ａ）は反射光検出方式、図４（ｂ）は透過光検出方式を示している。曇り検出体１４からの反射光または透過光の強度は、曇り検出体１４に付着する水滴等により生じる曇りの程度によって変化するため、この反射光等の強度を検出することで曇りの程度を検出することができる。そして、反射光等の強度が一定値までに上がったときに、曇りが無くなったと判断して通電スイッチ８をオフし、２次電池６の電力を節約することができる。
【００２１】
この場合、曇り検出体１４は、メガネレンズ１そのものか、あるいはメガネレンズ１とは別に用意された曇り検出用素子である。曇り検出用素子は、メガネレンズ１と同じまたは温度変化による曇り方がメガネレンズ１と同等のレンズ材で構成することができる。
発光素子１５としては例えばＬＥＤを、光センサー素子１６としては例えばフォトダイオードやフォトトランジスタを採用することができる。
【００２２】
また、制御手段１７としては例えばＡＤコンバータを備えたマイクロコンピュータが適している。ＡＤコンバータは、光センサー素子１６からのアナログ検出信号をデジタル検出信号に変換する。マイクロコンピュータは、このデジタル検出信号に応じて通電スイッチ８のスイッチング制御を行う。通電スイッチ８としては、トランジスタ等のスイッチング素子を用いることができる。
【００２３】
曇り検出体１４（メガネレンズ１とは別の曇り検出用素子である場合）、発光素子１５及び光センサー素子１６は、フレーム２の中央部、または視界を遮らないメガネレンズ１の周縁部等に設置し、制御手段１７はテンプル３に取り付け又は埋設することが好ましい。
【００２４】
（３）透明導電膜４，４の温度検出による制御方式
この方式は、図５に示すように、図１、図２のメガネ１００に、透明導電膜４の温度検出制御部を設けたものである。温度検出制御部は、透明導電膜４に接続された温度検出抵抗素子１８と、温度検出抵抗素子１８と接地の間に接続された検出スイッチ１９、通電時に２次電池６を電源として透明導電膜４，４から温度検出抵抗素子１８に流れる電流により透明導電膜４，４と温度検出抵抗素子１８との接続点に生じる電圧Ｖｏｕｔに応じて、通電スイッチ８及び温度検出スイッチ１９のオン・オフを制御する制御手段２０と、を備える。
【００２５】
透明導電膜４，４の通電時は通電スイッチ８をオンし、温度検出スイッチ１９をオフする。そして、温度検出時には、逆に、通電スイッチ８をオフし、温度検出スイッチ１９をオンする。すると、透明導電膜４から温度検出抵抗素子１８に流れる電流により、電流透明導電膜４と温度検出抵抗素子１８との接続点には、電圧Ｖｏｕｔ＝Ｒｓ／（Ｒｓ＋Ｒｉ）×Ｖｉｎが生じる。
【００２６】
ここで、Ｒｓは温度検出抵抗素子１８の抵抗値、Ｒｉは透明導電膜４，４の抵抗値である。ＲｓはＲｉに比して温度変化が少なくなるように温度検出抵抗素子１８が選定されている。Ｖｉｎは直列接続された透明導電膜４と温度検出抵抗素子１８の間に印加される電圧である。
【００２７】
そうすると、電圧Ｖｏｕｔに応じて、透明導電膜４の温度を検出することができる。そして、透明導電膜４の温度が一定値まで上がると曇りが無くなったと判断して制御手段２０は、通電スイッチ８のオフ状態を維持し、２次電池６の電力を節約すると共に過加熱によるメガネレンズ１のコーティング（透明導電膜４，４を含む）の劣化を防止することができる。また、温度検出の完了後は、温度検出スイッチ１９をオフにすれば電力の節約等が可能である。一方、透明導電膜４の温度が一定値に達していないときには、通電スイッチ８をオンし、温度検出スイッチ１９をオフする。
【００２８】
制御手段２０としては例えばＡＤコンバータを備えたマイクロコンピュータが適している。ＡＤコンバータは、電圧Ｖｏｕｔをデジタル信号に変換する。マイクロコンピュータは、このデジタル信号に応じて通電スイッチ８、温度検出スイッチ１９のスイッチング制御を行う。温度検出抵抗素子１８、温度検出スイッチ１９、制御手段２０は、テンプル３に取り付け又は埋設することが好ましい。通電スイッチ８、温度検出スイッチ１９としては、トランジスタ等のスイッチング素子を用いることができる。
【００２９】
次に、２次電池６の充電方式を説明する。充電方式には、充電端子による給電とワイヤレス給電がある。充電端子による給電方式は、２次電池６を充電するための充電端子９、例えばマイクロＵＳＢ端子をテンプル３に設け、外部のＵＳＢケーブル１０に接続可能に構成するものである。なお、２次電池６を取り外した状態であっても、充電端子９を介して透明導電膜４，４に直接電力を供給することが可能である。
【００３０】
ワイヤレス給電は、電磁誘導を用いた給電であり、電力受電を制御する受電制御ＩＣをテンプル３に取り付け、電力送電を制御する送電制御ＩＣをメガネ１００の外部に設置するものである。そして、電磁誘導により、送電制御ＩＣから受電制御ＩＣに電力が伝送され、電力を受電した受電制御ＩＣは２次電池２に給電を行う。
【００３１】
次に、本発明の第２の実施形態におけるメガネ１００Ａを図面に基づいて説明する。図６は、メガネ１００Ａの斜視図、図７はその等価回路図である。メガネ１００Ａは、メガネ本体１０１と、透明導電膜４，４を保持する保持フレーム１１と、保持フレーム１１に取り付けられた着脱クリップ１２と、を備えて構成され、透明導電膜４，４がメガネ本体１０１のメガネレンズ１の主面上に着脱自在になるように構成される。透明導電膜４，４がメガネ本体１０１のメガネレンズ１の主面上に装着されて通電されると、発熱によりメガネレンズ１の曇りが防止される。
【００３２】
第１の実施形態のメガネ１００においては、透明導電膜４，４はメガネ本体１０１と一体化されていたので、メガネレンズ１を交換した場合や、別個のメガネ本体に使い回すことができないが、本実施形態のメガネ１００Ａによれば、メガネ本体１０１に着脱自在としたので、メガネレンズ１を交換した場合や、別個のメガネ本体にも、透明導電膜４，４の使い回しが可能になる。  
【００３３】
透明導電膜４，４は、度が入っていないダミーのメガネレンズもしくはＰＥＴやポリカーボネイト等のフィルム材の表面、裏面又は両面に、通電する事で発熱するＩＴＯ等の抵抗体を蒸着またはスパッタすることにより形成することができる。
【００３４】
メガネ本体１０１の構成は、メガネレンズ１の部分を除き、第１の実施形態のメガネ１００と同様に構成することができる。すなわち、上述した（１）タイマーによる制御方式、（２）メガネレンズ１の曇り検出による制御方式、（３）透明導電膜４の温度検出による制御方式、を個別にまたはそれらを組み合わせて採用することができる。なお、配線部５については、メガネ本体１０１の配線部５と保持フレーム１１の配線部５は、接続部１３を介して相互に接続される。
【００３５】
なお、上述した各実施形態のメガネ１００，１００Ａには、サングラス等の目を守る保護具も含むものとする。
【符号の説明】
【００３６】
１  メガネレンズ
２  フレーム
３  テンプル
４  透明導電膜
５  配線部
６  ２次電池
７  昇圧回路
８  通電スイッチ
９  充電端子
１０  ＵＳＢケーブル
１１  保持フレーム
１２  着脱クリップ
１３  接続部
１４  曇り検出体
１５  発光素子
１６  光センサー素子
１７  制御手段
１８  温度検出抵抗素子
１９  温度検出スイッチ
２０  制御手段
１００，１００Ａ  メガネ
１０１  メガネ本体
【図１】
2017068253.tif 000003
【図２】
2017068253.tif 000004
【図３】
2017068253.tif 000005
【図４】
2017068253.tif 000006
【図５】
2017068253.tif 000007
【図６】
2017068253.tif 000008
【図７】
2017068253.tif 000009